(57)【要約】【課題】読取る原稿の画像品質を低下させないようにする。【解決手段】原稿の画像を読み取る画像読取装置において、原稿の画像を読み取る読取部と、前記読取部と対向して開閉可能に設けられ、前記原稿を前記読取部方向へ押圧する開閉部材と、前記開閉部材の前記読取部側に設けられた開閉部材浮き検出パターンと、前記読取部で前記開閉部材浮き検出パターンを読取り、前記開閉部材の浮きの有無を判別する判別部と、前記判別部で前記開閉部材の浮きを検出すると前記開閉部材が浮いている旨を報知する報知部とを有する。【選択図】        図１
2011142520.tif 000002
【特許請求の範囲】
【請求項１】
原稿の画像を読み取る画像読取装置において、
原稿の画像を読み取る読取部と、
前記読取部と対向して開閉可能に設けられ、前記原稿を前記読取部方向へ押圧する開閉部材と、
前記開閉部材の前記読取部側に設けられた開閉部材浮き検出パターンと、
前記読取部で前記開閉部材浮き検出パターンを読取り、前記開閉部材の浮きの有無を判別する判別部と、
前記判別部で前記開閉部材の浮きを検出すると前記開閉部材が浮いている旨を報知する報知部とを有することを特徴とする画像読取装置。
【請求項２】
請求項１の画像読取装置において、
前記判別部が前記開閉部材の浮きを検出したとき、前記開閉部材浮き検出パターンに基づき、前記読取部で読取った画像の明るさを補正する画像補正部を有することを特徴とする画像読取装置。
【請求項３】
請求項１または請求項２の画像読取装置において、
前記開閉部材は、
回転軸方向の長さが前記原稿の幅よりも長く形成され、回転して前記原稿を搬送するローラ部と、
前記ローラ部の回転軸と直交し、装置背面側に設けられた軸を回転支軸として開閉可能にする開閉機構とを有することを特徴とする画像読取装置。
【請求項４】
請求項３の画像読取装置において、
前記開閉部材浮き検出パターンは、前記ローラ部の周面に設けられていることを特徴とする画像読取装置。
【請求項５】
請求項４の画像読取装置において、
前記開閉部材浮き検出パターンは、前記読取部が読取り可能な領域内の前記ローラ部の両側部の周面に設けられ、
前記画像補正部は、前記読取部が読取った前記二つの開閉部材浮き検出パターンの出力レベルの差に基づいて算出した各画素の明るさの低下量を補正することを特徴とする画像読取装置。
【請求項６】
請求項５の画像読取装置において、
前記ローラ部の周面に設けられた原稿検出パターンと、
前記読取部で前記原稿検出パターンを読取り、前記開閉部材と前記読取部との間の原稿の有無を検出する原稿検出部とを有し、
前記原稿検出部で原稿を検出すると前記報知部で原稿の存在を報知することを特徴とする画像読取装置。
【請求項７】
請求項６の画像読取装置において、
前記原稿検出パターンは、前記読取部の原稿読取り可能領域内および原稿読取り可能領域外に設けられ、
前記原稿検出部は、前記読取部で読取った、前記原稿読取り可能領域内の前記開閉部材浮き検出パターンの出力レベルと前記原稿読取り可能領域外の前記開閉部材浮き検出パターンの出力レベルとを比較して原稿の有無を検出することを特徴とする画像読取装置。
【発明の詳細な説明】
【技術分野】
【０００１】
本発明は、原稿の画像を読み取る画像読取装置に関する。
【背景技術】
【０００２】
従来の画像読取装置は、自動原稿給紙部または原稿台読取部にセットされた原稿の画像を、画像読取部の読取りセンサにより読み取るというものがあり、装置本体に開閉自在に取り付けられた原稿押圧板に自動原稿給紙部を備えるようにしているものがある（例えば、特許文献１参照）。
【先行技術文献】
【特許文献】
【０００３】
【特許文献１】特開２００１−２４２６７０号公報（段落「００１３」〜段落「００１９」、図４）
【発明の概要】
【発明が解決しようとする課題】
【０００４】
しかしながら、上述した従来の技術においては、装置本体に開閉自在に取り付けられた原稿押圧板に備えられた自動原稿給紙部が画像読取面から浮き上がった状態で原稿の読取りを行った場合、原稿の画像品質を低下させてしまうという問題がある。
【０００５】
本発明は、このような問題を解決することを課題とし、読取る原稿の画像品質を低下させないようにすることを目的とする。
【課題を解決するための手段】
【０００６】
そのため、本発明は、原稿の画像を読み取る画像読取装置において、原稿の画像を読み取る読取部と、前記読取部と対向して開閉可能に設けられ、前記原稿を前記読取部方向へ押圧する開閉部材と、前記開閉部材の前記読取部側に設けられた開閉部材浮き検出パターンと、前記読取部で前記開閉部材浮き検出パターンを読取り、前記開閉部材の浮きの有無を判別する判別部と、前記判別部で前記開閉部材の浮きを検出すると前記開閉部材が浮いている旨を報知する報知部とを有することを特徴とする。
【発明の効果】
【０００７】
このようにした本発明は、自動原稿給紙部が浮き上がっていることを使用者に報知することができるようになり、画像品質が良好な画像データを得ることができるという効果が得られる。
【図面の簡単な説明】
【０００８】
【図１】第１の実施例におけるスキャナの制御構成を示すブロック図
【図２】第１の実施例におけるスキャナの斜視図
【図３】第１の実施例におけるスキャナの構成を示す概略断面図
【図４】第１の実施例における自動原稿給紙部の浮き上がり状態を示す説明図
【図５】第１の実施例における原稿押圧ローラの浮き検出パターンの説明図
【図６】第１の実施例における読取動作を示すフローチャート
【図７】第１の実施例における浮き検出処理を示すフローチャート
【図８】第１の実施例における浮き検出処理の説明図
【図９】第１の実施例における画像補正処理を示すフローチャート
【図１０】第１の実施例における画像補正処理の説明図
【図１１】第２の実施例における原稿押圧ローラの説明図
【図１２】第２の実施例におけるスキャナの制御構成を示すブロック図
【図１３】第２の実施例における読取動作を示すフローチャート
【図１４】第２の実施例における原稿検出処理を示すフローチャート
【図１５】第２の実施例における原稿検出処理の説明図
【発明を実施するための形態】
【０００９】
以下、図面を参照して本発明による画像読取装置の実施例を説明する。
【実施例１】
【００１０】
図２は第１の実施例におけるスキャナの斜視図である。
【００１１】
図２において、１は画像読取装置としてのスキャナである。１０１は画像読取部であり、原稿の給紙や画像の読取りを行う。１０２は操作部であり、使用者への指示や情報を出力するための報知手段としての表示部（報知部）１０５、画像読取部１０１の動作を指定するための入力手段のとしての各種ボタンを備えている。この表示部１０５は、液晶ディスプレイ、またはＬＥＤ（Ｌｉｇｈｔ  Ｅｍｉｔｔｉｎｇ  Ｄｉｏｄｅ）ディスプレイ等の表示装置である。
【００１２】
１０３は原稿セット部であり、読取り原稿を載置してセットする部位である。１０４は原稿排出部であり、画像読取部１０１で画像が読み取られ、排出された原稿を収容する部位である。
【００１３】
図３は第１の実施例におけるスキャナの構成を示す概略断面図である。
【００１４】
図３において、スキャナ１の画像読取部１０１は、自動原稿給紙部２０１、原稿台読取部２０２で構成されており、原稿台読取部２０２の上部にヒンジ等を介して、自動原稿給紙部２０１が開閉自在に配置されている。
【００１５】
開閉部材としての自動原稿給紙部２０１は、原稿をセットする原稿セット部１０３、給紙ローラ２０３、搬送ローラ２０４、排紙ローラ２０５、原稿検出センサ２０６、読取り位置センサ２０７、ステッピングモータ２０８、原稿押圧ローラ２２１、自動原稿給紙ウィンドウ２２６とで構成されている。
【００１６】
ステッピングモータ２０８の駆動は、図示しないギア構造で給紙ローラ２０３、搬送ローラ２０４、排紙ローラ２０５、原稿押圧ローラ２２１に伝達される様に構成されている。原稿セット部１０３の原稿トレイ２２２に原稿が置かれると、原稿検出センサ２０６がオンとなり原稿が存在することを検出できるようになっている。
【００１７】
給紙ローラ２０３は、ステッピングモータ２０８の駆動に伴って回転し、原稿トレイ２２２に置かれた原稿束から１枚を分離し搬送ローラ２０４に原稿を搬送する。搬送ローラ２０４は、ステッピングモータ２０８の駆動に伴って回転し、給紙ローラ２０３から搬送された原稿を更に排紙ローラ２０５へと搬送を行う。
【００１８】
読取り位置センサ２０７は、搬送ローラ２０４により搬送された原稿の先端が原稿読取り位置に近接したことを検出する。
【００１９】
押圧部材としての原稿押圧ローラ２２１は、後述する読取りユニットと対向して配置され、搬送された原稿を読取りユニット側の原稿読取面である原稿台ガラスの方向へ押圧する。
【００２０】
排出ローラ２０５は原稿押圧ローラ２２１の下を通過した原稿を、自動原稿給紙部２０１外である原稿排出部１０４へ排出する。自動原稿給紙ウィンドウ２２６は、無色透明な材料で形成されており原稿搬送経路の一部を構成する。
【００２１】
原稿台読取部２０２は、原稿台ガラス２１１、ステッピングモータ２２３、駆動ベルト２１２、読取りユニット２１０、プーリー２１８、白色基準板２１９、ホームセンサ２２０、原稿圧板２２４、白色シート２０９、２２５で構成される。
【００２２】
ステッピングモータ２２３は、駆動ベルト２１２と接続され、ステッピングモータ２２３の回転は、駆動ベルト２１２に伝達される。駆動ベルト２１２は、プーリー２１８に張架されるとともに読取りユニット２１０に固定されており、読取りユニット２１０を原稿台ガラス２１１に沿って往復移動させる様に接続され、読取りユニット２１０が所定の位置に移動したことを検出するようにホームセンサ２２０が配置されている。
【００２３】
読取りユニット２１０は、原稿台ガラス２１１上に置かれた原稿または自動原稿給紙部２０１により読取り位置まで搬送された原稿に、光を照射させるための光源２１３と、原稿により反射した光の光路を変更させる反射ミラー２１４、２１５と、光路が変更された光を集光するレンズ２１６と、ライン状に配設され、レンズ２１６で集光された光を光電変換し、画像の濃淡に応じた電圧を発生するＣＣＤ（Ｃｈａｒｇｅ  Ｃｏｕｐｌｅｄ  Ｄｅｖｉｃｅ）センサ２１７とで構成され、原稿の読取りを行う。
【００２４】
さらに、読取りユニット２１０は、ステッピングモータ２２３の回転に伴って動作する駆動ベルト２１２により原稿台に沿って移動し、原稿台ガラス２１１上の原稿を走査して原稿全面の画像を得る様に構成されている。
【００２５】
また、読取りユニット２１０と対向する原稿押圧ローラ２２１には、自動原稿給紙部２０１が原稿台ガラス２１１から浮き上がっているかを検出するために使用する浮き検出パターンが形成されている。この自動原稿給紙部２０１の浮きと浮き検出パターンについての詳細は後述する。
【００２６】
白色補正板２１９は、ＣＣＤセンサ２１７の素子が出力する電圧のばらつきを平滑化するためのシェーディング補正処理時に、基準となるセンサ出力データを取得する際に読み取られるもので、原稿台の読取り範囲外に配置されている。
【００２７】
図１は第１の実施例におけるスキャナの制御構成を示すブロック図である。
【００２８】
図１において、スキャナ主制御部３０１は、演算手段および制御手段としてのＣＰＵ（Ｃｅｎｔｒａｌ  Ｐｒｏｃｅｓｓｉｎｇ  Ｕｎｉｔ）等で構成され、不揮発性記憶装置であるＲＯＭ(Ｒｅａｄ  Ｏｎｌｙ  Ｍｅｍｏｒｙ)３０３に格納されている制御プログラム（ソフトウェア）に基づいて、スキャナ１全体の動作制御を行う。
【００２９】
画像読取部１０１はスキャナ主制御部３０１により制御され、原稿より画像を読取り、画像データを生成するとともに原稿押圧ローラ２２１の浮き検出パターンの画像データを生成する。
【００３０】
操作部１０２は装置使用者からの動作指示の入力や状態の表示などを行う。操作部１０２は、表示部１０５を含み、スキャナ主制御部３０１に制御され使用者への指示や情報を表示する。
【００３１】
ＲＡＭ（Ｒａｎｄｏｍ  Ａｃｃｅｓｓ  Ｍｅｍｏｒｙ）３０４は、画像読取部１０１で読み取られた画像データの一時蓄積や制御データの一時格納に使われる記憶部である。
【００３２】
判別部としての浮き検出部３０５は、画像読取部１０１が読み取った原稿押圧ローラ２２１の浮き検出パターンの画像データを解析し、自動原稿給紙部２０１が原稿台ガラス２１１から浮き上がっているか否かの判別を行い、検出結果をスキャナ主制御部３０１に出力する。
【００３３】
画像補正部３０６は、自動原稿給紙部２０１が原稿台ガラス２１１から浮き上がることにより低下した画像の明るさを、浮き検出部３０５で検出した浮き量を使用して補正する。
【００３４】
Ｉ／Ｆ（Ｉｎｔｅｒｆａｃｅ）制御部３０２は、データ通信バス３１２と繋がり、外部装置３１１に画像データを送信する役割を果たす。
【００３５】
この外部装置３１１とは、例えばプリンタやパーソナルコンピュータである。データ通信バス３１２は、例えばＵＳＢ(Ｕｎｉｖｅｒｓａｌ  Ｓｅｒｉａ１  Ｂｕｓ)やＬＡＮ(Ｌｏｃａ１  Ａｒｅａ  Ｎｅｔｗｏｒｋ)である。
【００３６】
ここで、自動原稿給紙部の浮きと浮き検出パターンについて説明する。
【００３７】
図４は第１の実施例における自動原稿給紙部の浮き上がり状態を示す説明図であり、図２におけるスキャナ１を図中矢印Ｘが示す方向（読取りユニット２１０が移動する副走査方向）から見た図である。また、図５は第１の実施例における原稿押圧ローラの浮き検出パターンの説明図である。
【００３８】
図４において、原稿押圧ローラ２２１を有する開閉部材としての自動原稿給紙部２０１は、原稿押圧ローラ２２１の回転軸と直交し、装置背面側の軸を回転支点として、開閉機構４０２により、開閉可能に構成されている。開閉機構４０２とは、簡単なヒンジ等である。
【００３９】
浮き検出パターン４０１Ｌ、４０１Ｒは、原稿押圧ローラ２２１を有する自動原稿給紙部２０１の浮きを検出するために、自動原稿給紙部２０１の原稿押圧ローラ２２１に設けられたものである。この浮き検出パターン４０１Ｌ、４０１Ｒは、自動原稿給紙部２０１を閉じた状態では読取りユニット２１０側に位置し、その読取りユニット２１０で浮き検出パターン４０１Ｌ、４０１Ｒを画像として読み取ることができるようになっている。
【００４０】
自動原稿給紙部２０１の浮きとは、自動原稿給紙部２０１と原稿台ガラス２１１との矢印Ｙが示す方向の距離であり、装置手前側Ｂの方が、装置奥側Ａの方より長くなる。通常、自動原稿給紙部２０１と原稿台ガラス２１１との距離は０であることが好ましい。本実施例では、この距離を自動原稿給紙部２０１の浮き（または、浮き上がり）と呼び説明する。
【００４１】
図５において、原稿押圧ローラ２２１は、回転軸方向の長さが読取る原稿の幅の長さより長く形成され、回転して読取る原稿を搬送するものである。
【００４２】
浮き検出パターン４０１Ｌ、４０１Ｒは、原稿押圧ローラ２２１の周面における、読取りユニット２１０が読取り可能な最大の領域である読取り可能領域内の、原稿として読取ることができる有効画素範囲の外側の左右（読取りユニット２１０の副走査方向における有効画素範囲外の両側部）に設けられた所定濃度の帯である。本実施例では、浮き検出パターン４０１Ｌ、４０１Ｒは、幅１ｃｍ、濃度５０％のグレイ色の濃度帯とする。
【００４３】
上述した構成の作用について説明する。
【００４４】
原稿の読取り開始から読み取った画像データをＲＡＭ３０４に格納するまでを、自動原稿給紙部２０１の浮きが有る場合とない場合において、図６の第１の実施例における読取動作を示すフローチャートの図中Ｓで表すステップにしたがって図１および図３を参照しながら説明する。なお、ＲＡＭ３０４に格納された画像データは、画素毎のＣＣＤセンサ２１７のバラツキを補正するシェーディング補正や文字を見やすくしたりするなどの各種画像処理を行い外部装置３１１に出力される。
【００４５】
Ｓ１０１：使用者はスキャナ１の原稿トレイ２２２上に原稿をセットした後、操作部１０２を操作して画像読取り動作を開始させる。
【００４６】
Ｓ１０２：スキャナ主制御部３０１は、浮き検出フラグを“０”に初期化してＲＡＭ３０４に記憶させる。
【００４７】
Ｓ１０３：スキャナ主制御部３０１は、読取りユニット２１０を自動原稿給紙部２０１の原稿を読取り可能な位置まで移動させ、その読取りユニット２１０で原稿押圧ローラ２２１上の浮き検出パターン４０１Ｌ、４０１Ｒおよび自動原稿給紙部２０１で給紙された原稿の画像を１ラインずつ読み取る。
【００４８】
Ｓ１０４：浮き検出部３０５は、読取りユニット２１０で読み取られた１ラインの画像データから自動原稿給紙部２０１の浮き上がりが検出されたかどうかを判定する。この浮き検出部３０５の浮き上がり検出処理の詳細は後述する。
【００４９】
Ｓ１０５：浮き検出部３０５により自動原稿給紙部２０１の浮き上がりが検出された場合、処理をＳ１０６へ移行し、浮き上がりが検出されない場合は処理をＳ１０７へ移行する。
【００５０】
Ｓ１０６：浮き検出部３０５により自動原稿給紙部２０１の浮き上がりが検出されるとスキャナ主制御部３０１は、ＲＡＭ３０４に記憶した浮き検出フラグを“１”とし、検出した浮き量を保存しつつ、処理をＳ１０７へ移行する。
【００５１】
Ｓ１０７：スキャナ主制御部３０１は、原稿の読取りが完了したか否かを判定し、原稿の読取りが完了していないと判定すると処理をＳ１０３へ移行して読取りユニット２１０で読取りを続け、原稿の読取りが完了した判定すると、すなわち原稿の最終ラインまで読み取ると処理をＳ１０８へ移行する。
【００５２】
Ｓ１０８：以上のように１ライン毎の読取りを最終ラインまで行い、最終ラインの読取りが終了した時点で原稿の読取りは終了となる。
【００５３】
Ｓ１０９：全ラインの読取り終了後、スキャナ主制御部３０１は、ＲＡＭ３０４に記憶した浮き検出フラグが“１”であるか否か判定し、“１”であると判定すると、すなわち浮き検出部３０５により自動原稿給紙部２０１の浮き上がりが検出されたと判定すると処理をＳ１１１へ移行し、一方浮き検出フラグが“０”であると判定すると、すなわち浮き検出部３０５により自動原稿給紙部２０１の浮き上がりが検出されていないと判定すると処理をＳ１１０へ移行する。
【００５４】
Ｓ１１０：ここで、浮き検出フラグが“０”である場合、スキャナ主制御部３０１は読み取った画像データを出力画像と決定し、原稿の有効画素範囲内の画像データのみをＲＡＭ３０４に格納する。この時の出力画像は自動原稿給紙部２０１の浮きがなく読み取られた画像なので正常なものといえる。
【００５５】
Ｓ１１１：次に、浮き検出フラグが“１”であった場合について説明する。浮き検出フラグが“１”であった場合、スキャナ主制御部３０１は、読取り中に自動原稿給紙部２０１の浮き上がりがあった旨を使用者に報知し、浮き上がり有りで読み取った画像を補正して出力するか、再度読取りを行うかを使用者に選択させる。
【００５６】
この報知の手段としては、操作部１０２に備わる表示部１０５に浮き上がった自動原稿給紙部で読み取った旨の警告文を表示させたり、操作部１０２に浮き上がりアラーム用表示灯を設けておいて、点灯させたりすることが考えられる。
【００５７】
また、選択の手段としては、操作部１０２上の操作ボタンや表示部１０５をタッチパネルにしておくなどし、それらのボタンの押下によって選択させることが考えられる。
【００５８】
Ｓ１１２：使用者が補正画像を選択した場合、処理をＳ１１３へ移行し、一方使用者が再度の読取りを選択した場合、浮き上がった自動原稿給紙部２０１で読み取った画像データはＲＡＭ３０４に格納せず削除し、読取り動作前の状態に戻る。この場合、使用者は自動原稿給紙部２０１の浮き上がりを直し、再び原稿トレイ２２２上に原稿をセットし、操作部１０２を操作して画像読取り動作を開始することになる。
【００５９】
Ｓ１１３：使用者により補正画像が選択されると、スキャナ主制御部３０１は、画像補正部３０６において補正画像を作成する。この画像補正部３０６が行う画像の補正処理の詳細は、後述する。
【００６０】
Ｓ１１４：スキャナ主制御部３０１は、補正された画像データを出力画像として、原稿の有効画素範囲内の画像データのみをＲＡＭ３０４に格納して処理を終了する。
【００６１】
次に、上述した図６のＳ１０４において浮き検出部３０５が行う検出動作について、図７の第１の実施例における浮き検出処理を示すフローチャートの図中Ｓで表すステップにしたがって図１、図３、および図８を参照しながら説明する。
【００６２】
Ｓ２０１：浮き検出部３０５は、読取りユニット２１０で読み取った１ライン分の画像データを入力する。
【００６３】
Ｓ２０２：浮き検出部３０５は、１ライン分の画像データが入力されると、原稿の有効画素範囲外にある原稿押圧ローラ２２１の左右の浮き検出パターン４０１Ｌ、４０１Ｒにあたる画素の読取り出力レベルを求める。
【００６４】
この浮き検出パターン４０１Ｌ、４０１Ｒの位置は読取りの主走査方向の画素数により決定できるので、あらかじめＲＯＭ３０３に浮き検出パターン４０１Ｌ、４０１Ｒの位置を示す画素数を格納しておけばよい。また、読取り出力レベルとは、読取りユニット２１０のＣＣＤセンサ２１７から出力された電圧値がデジタル変換されたものであり、読み取る画像の濃淡の変化に応じて決まるもので、一般的に淡い色ほど出力レベルは大きな値、濃い色ほど小さな値となる。
【００６５】
図８は、図４と同様に図２における矢印Ｘが示す方向から見た自動原稿給紙部２０１の原稿押圧ローラ２２１の浮き上がり状態と出力レベルを表した図である。なお、原稿の有効画素範囲の出力レベルは任意となるため示していない。
【００６６】
図８（ａ）に示すように原稿押圧ローラ２２１の浮き上がりがない場合、浮き検出パターン４０１Ｌ、４０１Ｒの濃淡に応じた出力レベルＬａが得られる。しかし、図８（ｂ）に示すように原稿押圧ローラ２２１の浮き上がりがある場合、左右の浮き検出パターン４０１Ｌ、４０１Ｒともに図８（ａ）の本来出力されるべき出力レベルＬａよりも下がってしまう。例えば、右の浮き検出パターン４０１Ｒの出力レベルは、原稿押圧ローラ２２１の浮き上がりによる低下量Ｌｂだけ低下する。この理由は浮き上がることによりＣＣＤセンサ２１７に到達する反射光が滅少してしまうからである。
【００６７】
Ｓ２０３：浮き検出部３０５は、この浮き検出パターン４０１Ｌ、４０１Ｒの出力レベルを通常時の閾値と比較する。なお、閾値はＲＯＭ３０３に予め記憶されているものとする。
【００６８】
Ｓ２０４：浮き検出部３０５は、浮き検出パターン４０１Ｌ、４０１Ｒの出力レベルが閾値よりも低くなっていたら原稿押圧ローラ２２１の浮き上がりが有ると判定し、閾値以上であるときは原稿押圧ローラ２２１の浮き上がりはないと判定して処理を終了する。
【００６９】
次に、上述した図６のＳ１１２において使用者により補正画像の出力が選択された場合の画像補正処理について図９の第１の実施例における画像補正処理を示すフローチャートの図中Ｓで表すステップにしたがって図１、図３、および図１０を参照しながら説明する。
【００７０】
Ｓ３０１：スキャナ主制御部３０１は、補正画像の出力が選択されると浮き検出部３０５で求めた浮き検出パターン４０１Ｌ、４０１Ｒの出力レベルを画像補正部３０６に入力する。
【００７１】
Ｓ３０２：画像補正部３０６は、入力された浮き検出パターン４０１Ｌ、４０１Ｒの出力レベルの差から画素位置による出力レベルの低下値を算出する。
【００７２】
出力レベルの低下値の算出方法は、例えば図１０に示すように、まず浮き検出パターン４０１Ｌと４０１Ｒの出力レベルを直線で結び、直線の式ｙ＝ａｘ＋ｂを求める。式は浮き検出パターン４０１Ｌ、４０１Ｒの中心の画素位置をｘ、出力レベルをｙとし、求めることが可能である。
【００７３】
式を求めた後は、ＲＯＭ３０３に予め記憶された浮き検出パターンの通常時の出力レベルＬａから、上記の式で求められる各画素位置ｘでの出力レベルｙを減算することにより、浮きによる出力レベルの低下値Ｌｃとして求めることができる。
【００７４】
Ｓ３０３：画像補正部３０６は、求めた出力レベルの低下値Ｌｃを読み取った画像データに加算することで浮きによる出力低下を補正し、補正データを作成する。補正終了後、スキャナ主制御部３０１は、画像補正部３０６より出力された原稿の有効画素範囲内の補正画像データのみをＲＡＭ３０４に格納し、補正処理は終了となる。
【００７５】
なお、本実施例では画素毎の出力レベルの低下値を算出する際に１次式を使用したが、任意の次数の式を使用してもよい。
【００７６】
以上説明したように、第１の実施例では、自動原稿給紙部の原稿押圧ローラに浮き検出パターンを設け、その浮き検出パターンを読み取った読取りユニットの出力レベルから自動原稿給紙部の浮き上がりを検出することにより、画像品質が低下した画像データを生成する前に、自動原稿給紙部が原稿台ガラスから浮き上がっていることを使用者に報知し、読み取った画像の補正または再度の原稿の読取りを選択させることができるようになり、画像品質が良好な画像データを得ることができるという効果が得られる。
【実施例２】
【００７７】
第２の実施例の構成は、第１の実施例で説明した原稿押圧ローラ２２１に原稿検出パターン部が形成され、またスキャナ主制御部の指示により原稿台上の原稿を検出する原稿検出部が設けられた構成であることが第１の実施例の構成と異なっている。なお、第２の実施例におけるスキャナ1の構成は、図２および図３で説明した第１の実施例の構成と同様であるため、その説明を省略する。
【００７８】
図１１は第２の実施例における原稿押圧ローラの説明図である。
【００７９】
図１１において、９０１は原稿検出パターン部であり、原稿押圧ローラ２２１に形成された浮き検出パターン４０１Ｌを有効画素範囲側に延長して設けられ、図３における原稿台ガラス２１１に原稿が存在するか否かを判定するためのものである。この原稿検出パターン部９０１は、原稿の有効画素範囲内と原稿の有効画素範囲外とに跨るように設けられている。
【００８０】
なお、第２の実施例のスキャナ１の自動原稿給紙部２０１により搬送された原稿を読み取る位置は、原稿を原稿台ガラス２１１上に載置して読取る場合における原稿読取り領域内に存在する。
【００８１】
図１２は第２の実施例におけるスキャナの制御構成を示すブロック図である。
【００８２】
図１２において、９０２は原稿検出部であり、図１１に示す原稿押圧ローラ２２１上の原稿検出パターン部９０１の出力レベルを求め、この出力レベルと原稿台ガラス上に原稿が存在する場合の出力レベルまたは存在しない場合の出力レベルとを比較し、図３における原稿台ガラス２１１上、すなわち原稿押圧ローラ２２１と読取りユニット２１０の間に原稿が存在するか否かを検出する。その他の構成は、第１の実施例と同様である。
【００８３】
なお、上述した第１の実施例と同様の部分は、同一の符号を付してその説明を省略する。
【００８４】
上述した構成の作用について説明する。
【００８５】
原稿台ガラス２１１上に前の使用者の原稿が残っていた場合、使用者に原稿台ガラス２１１面に原稿が放置されている旨を報知し、放置された原稿が取り除かれるまで読取りを開始しない動作を図１３の第２の実施例における読取動作を示すフローチャートの図中Ｓで表すステップにしたがって図１２を参照しながら説明する。なお、第２の実施例では、図６の第１の実施例における読取動作を示すフローチャートのＳ１０１とＳ１０２の間にＳ５０１〜Ｓ５０５の処理を追加している。
【００８６】
Ｓ１０１：使用者はスキャナ１の原稿トレイ２２２上に原稿をセットした後、操作部１０２を操作して画像読取り動作を開始させる。
【００８７】
Ｓ５０１：読取りユニット２１０は、自動原稿給紙部２０１の原稿を読み取る位置まで移動し、原稿の搬送を開始する前に原稿押圧ローラ２２１上の原稿検出パターン部９０１を読み取る。
【００８８】
Ｓ５０２：次に、原稿検出部９０２において、読取りユニット２１０で読み取られた原稿押圧ローラ２２１上の１ラインの画像データから原稿台ガラス２１１に原稿が検出されたかどうかを判定する。この原稿検出部９０２の原稿検出処理の詳細は後述する。
【００８９】
Ｓ５０３：原稿検出部９０２により原稿が検出された場合、処理をＳ５０４へ移行し、原稿が検出されない場合、処理をＳ１０２へ移行する。
【００９０】
Ｓ５０４：原稿検出部９０２により原稿が検出された場合、読取り動作を停止し、原稿台ガラス２１１上に放置された原稿が存在する可能性を表示部１０５に表示して使用者に報知し、自動原稿給紙部２０１の原稿の読取り再開を操作部１０２により選択させる。
【００９１】
Ｓ５０５：使用者により開始が選択されない場合、処理をＳ５０４へ移行し、使用者に放置原稿が存在す可能性を報知し続ける。
【００９２】
一方、読取り再開が選択された場合、処理をＳ１０２へ移行し、自動原稿給紙部２０１の原稿読取りを開始する。読取り開始が選択された後の読取り動作は、第１の実施例の図６におけるＳ１０２〜Ｓ１１４と同様のため説明は省略する。
【００９３】
なお、Ｓ５０３において原稿台ガラス２１１に原稿が検出されなかった場合の読取り動作も、第１の実施例の図６におけるＳ１０２〜Ｓ１１４と同様のため説明は省略する。
【００９４】
次に、原稿検出部９０２が行う原稿の検出処理について図１４の第２の実施例における原稿検出処理を示すフローチャートの図中Ｓで表すステップにしたがって図１２および図１５を参照しながら説明する。
【００９５】
Ｓ６０１：原稿検出部９０２は、読取りユニット２１０で読み取った原稿押圧ローラ２２１の１ライン分の画像データを入力する。
【００９６】
Ｓ６０２：原稿検出部９０２は、原稿押圧ローラ２２１の１ライン分の画像データが入力されると、原稿検出パターン部９０１の出力レベルを求める。この原稿検出パターン部９０１の位置は主走査方向の画素数により決定できるので、あらかじめＲＯＭ３０３に原稿検出パターン部９０１の位置を示す画素数を格納しておくものとする。
【００９７】
図１５は、図４と同じ方向から見た原稿台ガラス２１１上に放置原稿が存在しない場合（図１５（ａ））と、存在する場合（図１５（ｂ））の読取りユニット２１０の出力レベルを表した図である。
【００９８】
図１５（ａ）に示すように放置原稿が存在しない場合、有効画素範囲内の画素数ｘ１およびｘ２のいずれの位置においても原稿検出パターン部９０１の濃淡に応じた出力レベルＬｄが得られる。
【００９９】
しかし、図１５（ｂ）に示すように放置原稿が存在する場合、有効画素範囲内の画素数ｘ１の位置においては原稿に隠されていない原稿検出パターン部９０１の濃淡に応じた出力レベルＬｄが得られ、画素数ｘ２の位置においては放置原稿（原稿台ガラス２１１上の原稿により隠された部分の原稿検出パターン部９０１）の出力レベルＬｅとなる。
【０１００】
Ｓ６０３：原稿検出部９０２は、原稿に隠されていない原稿検出パターン部９０１の濃淡に応じた出力レベルＬｄ（有効画素範囲外の出力レベル）と原稿により隠された部分の原稿検出パターン部９０１の出力レベルＬｅ（有効画素範囲内の出力レベル）とを比較する。
【０１０１】
Ｓ６０４：原稿検出部９０２は、出力レベルＬｄ（有効画素範囲外の出力レベル）と出力レベルＬｅ（有効画素範囲内の出力レベル）とを比較した結果、ＲＯＭ３０３に予め記憶された閾値としての一定値を超える差があった場合、放置原稿が存在すると判定する。
【０１０２】
なお、この原稿検出パターン部９０１は原稿の有効画素範囲内にあるので、原稿の通常読取りの際に裏写りしてしまうことも考えられる。裏写りしないために浮き検出パターン４０１Ｌの濃度より原稿検出パターン部９０１の濃度を薄くしてもよい。
【０１０３】
また、この原稿検出パターン部９０１は原稿押圧ローラ２２１ではなく、原稿圧板２２４の白色シート２０９に形成するようにしてもよい。
【０１０４】
以上説明したように、第２の実施例では、自動原稿給紙部の原稿押圧ローラに原稿検出パターンを設け、その原稿検出パターンを読み取った読取りユニットの出力レベルから原稿台に放置された原稿を検出することにより、原稿を読み取る前に、原稿台ガラス上に放置原稿が存在することを使用者に報知することができるようになり、無駄な読み取りを防止して所望の原稿の読取りができるという効果が得られる。
【０１０５】
なお、第１の実施例および第２の実施例では、画像読取装置をスキャナとして説明したが、それに限られることなく、複写機や複合機（ＭＦＰ：ＭｕｌｔｉＦｕｎｃｔｉｏｎ  Ｐｅｒｉｐｈｅｒａｌ）としてもよい。
【符号の説明】
【０１０６】
１    スキャナ（画像読取装置）
１０１  画像読取部
１０２  操作部
１０３  原稿セット部
１０４  原稿排出部
１０５  表示部
２０１  自動原稿給紙部
２０２  原稿台読取部
２０３  給紙ローラ
２０４  搬送ローラ
２０５  排紙ローラ
２０６  原稿検出センサ
２０７  読取り位置センサ
２０８、２２３  ステッピングモータ
２１０  読取りユニット
２１１  原稿台ガラス
２１２  駆動ベルト
２１９  白色基準板
２２０  ホームセンサ
２２１  原稿押圧ローラ
２２４  原稿圧板
２２６  自動原稿給紙ウィンドウ
３０１  スキャナ主制御部
３０２  Ｉ／Ｆ制御部
３０３  ＲＯＭ
３０４  ＲＡＭ
３０５  浮き検出部
３０６  画像補正部
９０２  原稿検出部
【図１】
2011142520.tif 000003
【図２】
2011142520.tif 000004
【図３】
2011142520.tif 000005
【図４】
2011142520.tif 000006
【図５】
2011142520.tif 000007
【図６】
2011142520.tif 000008
【図７】
2011142520.tif 000009
【図８】
2011142520.tif 000010
【図９】
2011142520.tif 000011
【図１０】
2011142520.tif 000012
【図１１】
2011142520.tif 000013
【図１２】
2011142520.tif 000014
【図１３】
2011142520.tif 000015
【図１４】
2011142520.tif 000016
【図１５】
2011142520.tif 000017